(57)【特許請求の範囲】
【請求項１】
通信端末の識別情報を予め記憶する端末識別情報記憶手段と、
電話網を介して、前記通信端末と通信する電話通信手段と、
所定の範囲内に位置する前記通信端末と通信する近距離無線通信手段と、
前記近距離無線通信手段を用いて通信が可能な通信端末の識別情報を取得する近距離通信端末情報取得手段と、
前記端末識別情報記憶手段に記憶されている識別情報と、前記近距離通信端末情報取得手段で取得した識別情報とが重複している場合には、当該重複している識別情報を有する端末を他の端末に優先して、前記電話通信手段又は前記近距離無線通信手段を用いて呼び出すように前記通信端末との通信を制御する通信制御手段と、
前記近距離通信端末情報取得手段が、前記通信端末による近距離無線通信が可能になった情報を取得し、かつ、電話通信手段が、近距離無線通信が可能になった時から所定の時間前に、携帯電話網の近隣のエリアをカバーする基地局に前記通信端末が位置登録されていたという情報を取得した場合に、前記端末識別情報記憶手段に記憶されている識別情報を有する前記通信端末を所持する者が帰宅したことを認識し通知する、登録者帰宅通知手段と、
を備えることを特徴とするドアホン装置。
【請求項２】
前記電話通信手段は、携帯電話網を介して前記通信端末と通信する携帯電話通信手段であって、
前記近距離無線通信手段は、前記携帯電話通信手段を用いて、前記携帯電話網の短距離のカバーエリアを有する基地局との通信を行い、
前記近距離通信端末情報取得手段は、前記基地局が通信可能な端末の識別情報を、前記基地局より取得することにより近距離通信が可能な通信端末の識別情報を取得し、
前記通信制御手段は、前記携帯電話通信手段を用いて、前記基地局を介する前記通信端末との通信を制御する、
ことを特徴とする請求項１に記載のドアホン装置。
【請求項３】
前記近距離無線通信手段は、無線ＬＡＮルータを介した無線ＬＡＮ通信手段であって、
前記近距離通信端末情報取得手段は、前記無線ＬＡＮルータが通信可能な端末の識別情報を、前記無線ＬＡＮルータより取得することにより近距離通信が可能な通信端末の識別情報を取得する、
ことを特徴とする請求項１に記載のドアホン装置。
【請求項４】
前記近距離無線通信手段は、前記通信端末と直接無線通信することが可能な近距離無線通信手段であって、
前記近距離通信端末情報取得手段は、前記通信端末が前記ドアホン装置に対して、前記通信端末の識別情報を含む無線通信信号を送信することにより、近距離通信が可能な通信端末の識別情報を取得する、
ことを特徴とする請求項１に記載のドアホン装置。
【請求項５】
前記端末識別情報記憶手段に登録されている識別情報と、前記近距離通信端末情報取得手段で取得された識別情報に基づいて、通信端末を呼び出す順序を決定する呼び出し優先順位決定手段をさらに有し、
前記通信制御手段は、前記呼び出し優先順位決定手段で決定した順序で選択した選択通信端末との通信を制御する、
ことを特徴とする請求項１乃至４のいずれか１項に記載のドアホン装置。
【請求項６】
前記ドアホン装置は、戸内に設置されるドアホン親機と、戸外に設置されるドアホン子機を含んで構成され、
前記ドアホン親機に前記端末識別情報記憶手段と、前記電話通信手段と、前記近距離無線通信手段と、前記近距離通信端末情報取得手段と、前記通信制御手段とが備えられ、
前記ドアホン子機及び前記通信端末には、マイク又はカメラが備えられ、
前記通信制御手段は、前記ドアホン子機及び前記通信端末のいずれか一方から出力する、前記マイクが拾音した音声信号又は前記カメラにより取得した画像信号を、他方に転送する通信制御を行う、
ことを特徴とする請求項１乃至５のいずれか１項に記載のドアホン装置。
【請求項７】
請求項１乃至６のいずれか１項に記載のドアホン装置と、前記通信端末を含んで構成されるドアホンシステム。
【請求項８】
通信端末の識別情報を予め記憶する端末識別情報記憶ステップと、
所定の範囲内に位置する前記通信端末と通信する近距離無線通信が可能な通信端末の識別情報を取得する近距離通信端末情報取得ステップと、
前記端末識別情報記憶ステップで記憶した識別情報と、前記近距離通信端末情報取得ステップで取得した識別情報とが重複している場合に、当該重複している識別情報を有する端末を、他の端末に優先して電話網又は近距離無線を用いて呼び出すように前記通信端末との通信を制御する通信制御ステップと、
前記近距離通信端末情報取得ステップで、前記通信端末による近距離無線通信が可能になった情報を取得し、かつ、近距離無線通信が可能になった時から所定の時間前に、携帯電話網の近隣のエリアをカバーする基地局に前記通信端末が位置登録されていたという情報を取得した場合に、前記端末識別情報記憶ステップで記憶した識別情報を有する前記通信端末を所持する者が帰宅したことを認識し通知する、登録者帰宅通知ステップと、
を有することを特徴とするドアホン装置制御方法。
【請求項９】
コンピュータに、
通信端末の識別情報を予め記憶する端末識別情報記憶手順と、
所定の範囲内に位置する前記通信端末と通信する近距離無線通信が可能な通信端末の識別情報を取得する近距離通信端末情報取得手順と、
前記端末識別情報記憶手順で記憶した識別情報と、前記近距離通信端末情報取得手順で取得した識別情報とが重複している場合に、当該重複している識別情報を有する端末を、他の端末に優先して電話網又は近距離無線を用いて呼び出すように前記通信端末との通信を制御する通信制御手順と、
前記近距離通信端末情報取得手順で、前記通信端末による近距離無線通信が可能になった情報を取得し、かつ、近距離無線通信が可能になった時から所定の時間前に、携帯電話網の近隣のエリアをカバーする基地局に前記通信端末が位置登録されていたという情報を取得した場合に、前記端末識別情報記憶手順で記憶した識別情報を有する前記通信端末を所持する者が帰宅したことを認識し通知する、登録者帰宅通知手順と、
を実行させるためのプログラム。
【発明の詳細な説明】
【技術分野】
【０００１】
本発明は、ドアホン装置、ドアホンシステム、ドアホン装置制御方法及びプログラムに関する。
【背景技術】
【０００２】
近年のドアホンシステムは、戸外のドアホン子機と戸内のドアホン親機間の通信により、ドアホン子機のマイクで拾音された来訪者の音声と、ドアホン子機に備えられたカメラで撮像した来訪者の画像をドアホン親機で確認し、ドアホン親機のマイク等により来訪者に応答することができる構成となっている。
【０００３】
また、ドアホン親機に直接応答できない場合に、ドアホン親機が携帯電話網を介して携帯電話に発呼し、携帯電話による応答を可能にしたシステムも提案されている（例えば特許文献１）。
特許文献１に開示されているインターホンシステムにおいては、携帯電話端末が近距離無線通信機能も有する。訪問者が戸外のドアホン子機の操作ボタンを押すと、まず、インターホン親機は近距離無線通信を使用して携帯電話端末に呼び出しを行う。携帯電話端末の所有者が外出しているために近距離無線通信による応答がなかった場合に、インターホン親機が加入者電話回線網へ携帯電話端末に対する呼び出しを行う。これに対し、携帯電話端末が応答することにより、ドアホン子機と携帯電話端末との通話が可能となる構成である。
【先行技術文献】
【特許文献】
【０００４】
【特許文献１】特開２００８−１３５８８０号公報
【発明の概要】
【発明が解決しようとする課題】
【０００５】
しかしながら、特許文献１に開示されたインターホンシステムは、近距離無線通信により携帯電話端末に呼び出し通知を送信してから、携帯電話端末からの応答を所定時間待って、応答がなかった場合に加入者電話回線網へ発信するという構成となっているため、訪問者への応答に時間がかかるという課題があった。
また、近距離無線通信により携帯電話端末に呼び出しを行った時に、携帯電話端末の所有者が調理中、固定電話の通話中、入浴中等応答できない場合もあり、在宅中にも関わらず不在中として処理されてしまうという課題があった。
【０００６】
本発明は、上記事情に鑑みてなされたものであり、より適切な応答者が短時間に応答することが可能なドアホン装置、ドアホンシステム、ドアホン装置制御方法及びプログラムを提供することを目的とする。
【課題を解決するための手段】
【０００７】
上記目的を達成するため、本発明のドアホン装置は、
通信端末の識別情報を予め記憶する端末識別情報記憶手段と、
電話網を介して、前記通信端末と通信する電話通信手段と、
所定の範囲内に位置する前記通信端末と通信する近距離無線通信手段と、
前記近距離無線通信手段を用いて通信が可能な通信端末の識別情報を取得する近距離通信端末情報取得手段と、
前記端末識別情報記憶手段に記憶されている識別情報と、前記近距離通信端末情報取得手段で取得した識別情報とが重複している場合には、当該重複している識別情報を有する端末を他の端末に優先して、前記電話通信手段又は前記近距離無線通信手段を用いて呼び出すように前記通信端末との通信を制御する通信制御手段と、
前記近距離通信端末情報取得手段が、前記通信端末による近距離無線通信が可能になった情報を取得し、かつ、電話通信手段が、近距離無線通信が可能になった時から所定の時間前に、携帯電話網の近隣のエリアをカバーする基地局に前記通信端末が位置登録されていたという情報を取得した場合に、前記端末識別情報記憶手段に記憶されている識別情報を有する前記通信端末を所持する者が帰宅したことを認識し通知する、登録者帰宅通知手段と、
を備えることを特徴とする。
【発明の効果】
【０００８】
本発明によれば、ドアホン装置に予め登録されている通信端末のうち、近距離無線通信で応答可能な通信端末の識別情報を取得し、その情報に基づいて通信制御することにより、適切な者が短時間で応答することができる。
【図面の簡単な説明】
【０００９】
【図１】実施の形態１に係るドアホンシステムの構成を示すブロック図である。
【図２】実施の形態１に係るドアホン親機の内部構成を示すブロック図である。
【図３】携帯電話端末接続処理を示すフローチャートである。
【図４】呼び出し優先順位を決定する手順を説明するための図である。
【図５】呼び出し優先順位を決定する手順を説明するための図である。
【図６】登録者帰宅通知機能を説明するための図である。
【図７】登録者帰宅通知処理を示すフローチャートである。
【図８】実施の形態２に係るドアホンシステムの構成を示すブロック図である。
【図９】実施の形態３に係るドアホンシステムの構成を示すブロック図である。
【図１０】実施の形態４に係るドアホンシステムの構成を示すブロック図である。
【発明を実施するための形態】
【００１０】
実施の形態１．
本発明の実施の形態１について図面を参照して詳細に説明する。
【００１１】
図１は、実施の形態１に係るドアホンシステム１の構成を示すブロック図である。
ドアホンシステム１は、ドアホン装置１０と携帯電話端末２０、３０とフェムトセル基地局４０と携帯電話網５０から構成される。
【００１２】
ドアホン装置１０は戸外に設置されるドアホン子機１２と戸内に設置されるドアホン親機１４から構成される。
なお、図１におけるドアホン親機１４の内部構成は、携帯電話端末２０、３０との通信処理に関する部分だけを示している。ドアホン親機のその他の構成を含む内部構成は図２に示している。
【００１３】
ドアホン子機１２は、子機制御部１２１とカメラ１２２とマイク１２３とスピーカ１２４と操作ボタン１２５を備える。
【００１４】
子機制御部１２１は、ＣＰＵ（Central Processing Unit）、主記憶装置等から構成される。子機制御部１２１は、カメラ１２２、マイク１２３の駆動制御、及び、カメラ１２２、マイク１２３、操作ボタン１２５から入力される信号やスピーカ１２４に出力する信号の処理制御を行う。また、ドアホン親機１４との通信制御も行う。
【００１５】
子機制御部１２１は、操作ボタン１２５が押されると、カメラ１２２を起動し、ドアホン子機１２の前方を撮影し、撮影画像をドアホン親機１４に送信する。
ドアホン親機１４より応答があった場合には、マイク１２３を起動し音声を拾音し、拾音した音声の信号をドアホン親機１４に送信する。
また、ドアホン親機１４から送信される音声信号をスピーカ１２４から出力する。
【００１６】
ドアホン親機１４は、図２に示すように、ドアホン制御部１４１と表示部１４２とマイク１４３とスピーカ１４４と操作部１４５と記憶部１４６と携帯電話部１４７と携帯電話制御部１４８を備える。
【００１７】
ドアホン制御部１４１は、ＣＰＵ（Central Processing Unit）、主記憶装置等から構成され、表示部１４２、スピーカ１４４への出力信号の処理制御、及び、マイク１４３、操作部１４５からの入力信号の処理制御を行う。また、ドアホン子機１２との通信制御、携帯電話制御部１４８との通信制御を行う。ドアホン制御部１４１は記憶部１４６に記憶されている制御プログラムを読み出し実行することにより各種制御を行う。
【００１８】
表示部１４２は、例えば、ＬＣＤ（Liquid Crystal Display）や有機ＥＬ（Electro -Luminescence）ディスプレイ等の表示デバイスから構成され、画像、図形、文字、記号などの情報表示を行う。
ドアホン子機１２から送信される画像や、設定画面や、現在時刻、ドアホン子機１２からの信号の受信があった時刻、応答履歴等の情報を表示する。
【００１９】
操作部１４５は、応答キー、方向キー/決定キー、ファンクションキー等の各種のキーボタン等を含み、ユーザからの操作入力を受け付け、受け付けた操作入力に係る信号をドアホン制御部１４１に送出する。操作部１４５は、例えば、来訪者がドアホン子機１２の操作ボタン１２５を押した旨の通知信号に対してユーザが応答するための応答キー押下を受け付ける。
【００２０】
また、操作部１４５は、後述する呼び出し優先順位決定に関する設定情報を含む各種設定情報の入力の操作を受け付ける。操作部１４５の操作により入力された設定情報は記憶部１４６に記憶される。
なお、設定情報等は、ＬＡＮインタフェース１４９を介して接続されるパーソナルコンピュータ（ＰＣ）等により入力されても良い。
【００２１】
記憶部１４６は、例えば、フラッシュメモリ等の読み書き可能な不揮発性半導体メモリから構成される。記憶部１４６は、ドアホン装置１０に応答を許可されている携帯電話端末を識別する識別情報データを記憶する端末識別情報記憶手段として機能する。また、記憶部１４６には、訪問者来訪履歴データ、応答履歴データ等の各種データや、ドアホン制御部により本実施の形態特有の機能を実現するためのプログラム等を記憶する。
また、記憶部１４６は後述する呼び出し優先順位決定部１５１における携帯電話端末の呼び出し優先順位を決定するための条件等の設定情報も記憶する。
【００２２】
携帯電話部１４７は、携帯電話網を介する通信が可能な他の携帯電話端末に対して、発信、着信を行う電話通信手段として機能する。携帯電話部１４７は通常の携帯電話端末と同様に電話番号などの識別情報を有する。
【００２３】
携帯電話制御部１４８は、ＣＰＵ（Central Processing Unit）、主記憶装置等から構成される。携帯電話制御部１４８は、ドアホン制御部１４１と共通のＣＰＵ等で構成されていても良い。
携帯電話制御部１４８は、ドアホン制御部１４１より、訪問者がドアホン子機１２の操作ボタン１２５を押した旨の情報を受信した際に、携帯電話端末２０等に対して、携帯電話部１４７の発着信の制御を行う通信制御手段として機能する。
【００２４】
携帯電話制御部１４８は、図１に示すように、戸内有効端末情報取得部１５０と呼び出し優先順位決定部１５１を含む。
戸内有効端末情報取得部１５０は、フェムトセル基地局４０からＬＡＮインタフェースを介してフェムトセル基地局４０に位置登録がされている携帯電話端末２０の識別情報を取得する。
ここで、携帯電話端末２０、３０は、定期的に最も安定した通信が可能な基地局を探索し、基地局が見つかると、その基地局に端末の識別情報を登録するが、この登録を位置登録と呼んでいる。なお、本実施の形態においては、携帯電話端末２０の識別情報は、電話番号であるとして説明する。
【００２５】
フェムトセル基地局４０は、サービス対応エリアが半径数十ｍ程度の狭い範囲の携帯電話基地局であり、本実施の形態においてはドアホン親機１４が設置されている戸内にフェムトセル基地局４０も設置される。よって、このフェムトセル基地局４０に位置登録している携帯電話端末２０の所持者は所定の範囲内におり、言い換えると戸内にいるか、又は戸外にいても訪問者に対する対面の応答が可能である者と考えられる。
【００２６】
つまり、フェムトセル基地局４０は、位置登録されている携帯電話端末（以下、戸内有効端末と呼ぶ）、の識別情報のリストを有しており、随時更新されている。よって、戸内有効端末情報取得部１５０は、この識別情報のリストをＬＡＮインタフェース１４９を介してフェムトセル基地局４０から取得することで、近距離に位置する戸内有効端末の識別情報を取得することができ、所定の範囲内に位置する通信端末と近距離通信する近距離通信端末情報取得手段として機能している。
【００２７】
なお、前述した携帯電話部１４７は、フェムトセル基地局４０に位置登録されている携帯電話端末２０とは、フェムトセル基地局４０のみを介する戸内通話をすることができるため、携帯電話部１４７は近距離無線通信手段としても機能している。
【００２８】
呼び出し優先順位決定部１５１は、記憶部１４６に記憶されているドアホン装置１０に応答を許可されている携帯電話端末の識別情報データと呼び出し優先順位を決定するための条件等の設定情報、及び、戸内有効端末情報取得部１５０で取得された戸内有効端末の識別情報データに基づいて、呼び出し優先順位を決定する。
携帯電話制御部１４８は、決定された呼び出し優先順位にしたがって、携帯電話部１４７の通信制御を行う。
【００２９】
携帯電話端末２０、３０は、ドアホン装置１０に応答を許可されている携帯電話端末であり、記憶部１４６に識別情報を登録している端末である。
携帯電話端末２０、３０は、携帯電話網５０及び他のインターネット網、加入者電話網を介して他の携帯電話、固定電話、インターネット電話と通信が可能である。
図１において、携帯電話端末２０は戸内にいる者が所有しているため、フェムトセル基地局４０に位置登録されており、携帯電話端末３０は、戸外におり、最寄りの基地局６０に位置登録されている。
【００３０】
以上のように構成されたドアホンシステム１の動作について、図１、２を用いて説明する。
【００３１】
ドアホン装置１０が備えられた住戸等に来訪した訪問者は、ドアホン子機１２の操作ボタン１２５を押す。子機制御部１２１は、カメラ１２２を起動するとともに、訪問者が来訪したことを示す来訪通知信号をドアホン親機１４に送信する。そして、カメラ１２２が撮影した画像データをドアホン親機１４へ送信開始する。
【００３２】
ドアホン親機１４のドアホン制御部１４１は、来訪通知信号、撮影画像データを受け取ると、表示部１４２に受信した撮影画像データの画像を表示する。
戸内にいる者が、ドアホン親機１４に直接応答できる場合は、応答者が操作部１４５を操作することにより、ドアホン子機のマイク１２３、スピーカ１２４、ドアホン親機のマイク１４３、スピーカ１４４が起動して、来訪者と応答者の通話が可能となる。
【００３３】
ドアホン親機１４へ直接の応答が所定時間以内になされなかった場合には、ドアホン制御部１４１は携帯電話制御部１４８に携帯電話端末での応答を可能とする携帯電話端末接続処理を開始するように命令する。
【００３４】
ここで、所定時間以内にドアホン親機１４へ直接の応答がなされないことの原因として、戸内に誰もいないことと、調理中などのためにすぐに応答できないということが考えられる。よって、「しばらくお待ちください」などのメッセージをドアホン子機から出力させてもよい。
このメッセージを出力することにより、時間はかかるが応答が可能であることを訪問者に知らせることができる。
【００３５】
携帯電話端末接続処理の命令を受けた携帯電話制御部１４８の戸内有効端末情報取得部１５０は、フェムトセル基地局４０より現在フェムトセル基地局４０に位置登録されている携帯電話端末の識別情報を取得する。これにより、戸内にいるか、又は戸外にいても訪問者に対する対面の応答が可能である者の携帯電話端末が特定される。
【００３６】
次に、呼び出し優先順位決定部１５１は、記憶部１４６からドアホン装置１０に応答を許可されている端末として登録されている携帯電話端末の識別情報データと、呼び出し優先順位を決定するための条件等の設定情報を取得する。そして、これらの情報データと、戸内有効端末情報取得部１５０が取得したフェムトセル基地局４０に現在位置登録されている携帯電話端末２０等の識別情報を照らし合わせて、呼び出し優先順位を決定する。呼び出し優先順位は例えば、記憶部１４６に応答を許可されている端末の識別情報とフェムトセル基地局４０に位置登録されている端末の識別情報とで重複している識別情報がある場合、その識別情報を有する端末を優先するなどして決定する。
【００３７】
次に、携帯電話制御部１４８は決定された呼び出し優先順位にしたがって登録されている携帯電話番号に呼び出しを行い、接続処理を行うように携帯電話部１４７を制御する。
携帯電話部１４７からの呼び出しに対して応答があった場合には、ドアホン子機１２と、応答した携帯電話端末の間で、リンクが確立し、ドアホン子機１２の前にいる訪問者と応答した携帯電話端末の所有者との間で通話が可能となる。
【００３８】
ここで、応答した携帯電話端末２０が戸内にある場合には、ドアホン親機１４の携帯電話部１４７と、携帯電話端末２０と間のリンクはフェムトセル基地局４０のみを介する戸内通話となる。一方、応答した携帯電話端末３０が戸外（フェムトセル外）にある場合には、ドアホン親機１４の携帯電話部１４７と、携帯電話端末３０と間のリンクはフェムトセル基地局４０、携帯電話網５０、携帯電話端末３０が位置登録している基地局６０を介する通話となる。
【００３９】
ドアホン子機１２と携帯電話端末２０、３０との通話により、ドアホン子機１２のマイク１２３が拾音した音声が、携帯電話端末２０、３０のスピーカから出力される。また、携帯電話端末２０、３０のマイクで拾音した音声が、ドアホン子機１２のスピーカ１２４から出力される。
【００４０】
また、ドアホン子機１２のカメラ１２２が撮影した画像も、携帯電話端末２０、３０に送信することにより、携帯電話端末２０、３０の表示部で見ることができる。
画像の送信は、画像を添付したメールを送信する。この場合、記憶部に、携帯電話端末の識別情報（電話番号）と電子メールアドレスを対応付けて記憶しておき、携帯電話制御部１４８が、携帯電話端末２０、３０のアドレス宛で、画像を添付した電子メールを作成し、携帯電話部１４７よりメール送信する。
また、携帯電話端末２０、３０がテレビ電話機能等を有している場合は、テレビ電話通話により画像、音声の送受信を行う。
【００４１】
以上述べた携帯電話制御部１４８の携帯電話端末２０、３０との接続処理について、図３のフローチャートを用いて説明する。
この携帯電話端末接続処理は、訪問者来訪を示す信号に対して、ドアホン親機１４への直接の応答が所定時間以内になかった場合にスタートする。
【００４２】
まず、携帯電話制御部１４８は、フェルトセム基地局４０より戸内有効端末の識別情報を取得し（Ｓ１０１）、記憶部１４６より応答が許可されている端末の識別情報を取得する（Ｓ１０２）。これら２つの情報を照らし合わせて、呼び出し優先順位を決定する（Ｓ１０３）。ここで、Ｎは呼び出しを行う端末数であり（Ｎは自然数）、ｎは呼び出し優先順位であり１からＮの自然数である。
【００４３】
携帯電話制御部１４８は、携帯電話部１４７に優先順位１からＮまで順に携帯電話端末に発呼する（Ｓ１０４〜Ｓ１０８）。そして、所定時間ｔ０以内に応答が合った場合には、ドアホン制御部１４１を介した携帯電話部１４７と子機制御部１２１との接続処理を行う（Ｓ１０９）。この接続処理によりドアホン子機１２と携帯電話端末２０、３０の通話が可能となる。
【００４４】
なお、優先順位で定めた携帯電話端末が全て応答しなかった場合には、応答不可信号をドアホン制御部１４１に出力して（Ｓ１１０）、携帯電話端末制御部１４８は、携帯電話端末接続処理を終了する。
この応答不可信号を受けたドアホン制御部１４１は子機制御部１２１に対して、応答処理終了を示す信号を出力し、子機制御部１２１はカメラ１２２等を停止する。このとき、ドアホン子機１２は「留守にしております」などのメッセージを出力してからカメラ１２２等を停止してもよい。
【００４５】
次に、呼び出し優先順位の決定方法について詳細に説明する。
【００４６】
ドアホン装置１０に応答を許可されている携帯電話端末の識別情報が記憶部１４６に記憶されているが、識別情報とともに、デフォルトの呼び出し順である基本順Ｎｏ．も記憶しておく。基本順Ｎｏ．は、全端末が戸内にある、または、全端末が戸外にあるような状態のような同じ条件下での呼び出し順である。
この基本順Ｎｏ．は、ドアホン親機１４の操作部１４５又は設定用のＰＣにより、ユーザが入力したものである。
【００４７】
識別情報が記憶部１４６に記憶されている携帯電話端末の全てが戸内にあるか、あるいは全てが戸外にある場合には、記憶されている基本順Ｎｏ．に従い呼び出す。
一方、識別情報が記憶されている携帯電話端末のうち、一部が戸内に、残りが戸外にある場合には、戸内の携帯電話端末を優先して呼び出す。訪問者に対する対面の応答をすることが必要な場合もあるからである。
【００４８】
また、上記呼び出し優先順位の決定方法に対して例外条件も設けても良い。
例えば、防犯上一人で留守番している時には対応させない方が望ましい者や、仕事中には対応できない者等の端末の識別番号を記憶させておいて、呼び出す端末リストから除外することもできる。
【００４９】
以下、例を挙げて説明する。
図４（ａ）は、ドアホン装置１０に応答を許可されている携帯電話端末の識別情報のリストであり、記憶部１４６に記憶されている。ここでの識別番号は電話番号である。
図４（ａ）において、Ｃ１〜Ｃ４は同じ条件下の呼び出し順である基本順Ｎｏ．である。全端末が戸内にあるか全端末が戸外にある等、全端末が同じ条件下にあれば、Ｃ１、Ｃ２、Ｃ３、Ｃ４・・・の順に呼び出しを行う。備考欄には家族構成を記載しているが、これは説明のための便宜的なもので、実際には登録されていなくても良い。
【００５０】
図４（ｂ）は、フェムトセル基地局に現在登録されている携帯電話端末の識別情報のリストである。ａとｄは図４（ａ）のリストに入っている携帯電話端末であるので、現在、母親と長女が戸内にいることが予想される。また、ｂ、ｃは図４（ａ）のリストに入っていないため、来訪者の携帯電話端末と、隣家の者や通りがかりの者の携帯電話端末であることが予想される。
【００５１】
このような情報が取得された場合には、呼び出し優先順位決定部１５１は、戸内にいるものを優先的に、かつ基本順Ｎｏ．に従って呼び出すため、母親の端末（Ｃ２）、長女の端末（Ｃ４）、父親の端末（Ｃ１）、長男の端末（Ｃ３）の順に呼び出すように、呼び出し優先順位を決定する（図４（ｃ））。
【００５２】
他の例として、呼び出し優先順位を決定するための例外の条件が設定されている場合について図５を用いて説明する。
まず、長女は、一人で留守番している時には防犯上応答しないことが望ましいと考えられる場合には、図５（ａ）のように「一人で留守番の時には発信しない番号」に長女の端末の識別番号を登録しておく。また、長男は、仕事柄外出中には発信しないほうが望ましいと考えられる場合には、「外出中には発信しない番号」に長男の端末の識別番号を登録しておく。
【００５３】
この例において、現在フェムトセル基地局には、図５（ｂ）に示すように、長女の携帯電話端末（Ｃ４）と、来訪者の携帯電話端末と、隣家の者や通りがかりの者の携帯電話端末と予想される携帯電話端末が位置登録されているとする。
【００５４】
このような情報が取得された場合には、呼び出し優先順位決定部１５１は、戸内には、長女しかいないと思われるため、長女の端末（Ｃ４）には呼び出しを行わず、戸外にある端末の中で図４（ａ）の基本順Ｎｏ．に従って父親の端末（Ｃ１）、母親の端末（Ｃ２）を呼び出すように呼び出し優先順位を決定する。ここで、長男の端末は「外出中には発信しない番号」として登録されているため、呼び出しを行わない。
【００５５】
以上のように呼び出し優先順位を決定することにより、状況に応じて、最適な人から順に呼び出し、訪問者に対する応答を促すことができる。
【００５６】
以上説明したように、本実施の形態によれば、フェムトセル基地局４０から戸内の応答可能な端末の有無を調べた上で、呼び出しする携帯電話端末の優先順位を決定し、順に呼び出して応答を促すこととしたため、戸内に応答可能な者がいない場合には、戸外の携帯電話端末３０による迅速な応答が可能になる。
また、応答可能な者が戸内にいるが、調理中などにより応答に時間がかかる場合には、その旨訪問者に知らせることができる。
また、防犯上、戸内にはいるものの、応答するのに適さない場合には、戸外にいる者が携帯電話端末で応答することができる。
【００５７】
なお、以上がドアホン装置１０の主たる機能であるが、以上述べた構成を用いてドアホン装置１０に登録者帰宅通知機能を持たせることも可能である。この登録者帰宅通知機能について図６、図７を用いて説明する。
図６は携帯電話端末３０が移動しながら各基地局に位置登録している状態を説明する図であり、図７はこの機能のフローを示すフローチャートである。
【００５８】
この登録者帰宅通知機能を有効としている場合には、携帯電話制御部１４８は、定期的にフェムトセル基地局４０に位置登録されている携帯電話端末の識別情報のリストを取得する。
そのリストを監視することにより、ドアホン装置１０に応答可能な端末として登録されている携帯電話端末のうち、フェムトセル基地局４０に新たに位置登録された端末が検出されたとき、図７に示す登録者帰宅通知処理を開始する。
【００５９】
新たに携帯電話端末が位置登録される場合とは、フェムトセル基地局４０のカバーエリアに外から入ってきた場合と、電源を立ち上げた場合がある。よって、電源を立ち上げた場合を切り分けるために、近隣の基地局７０、７１の位置登録情報を利用する。
【００６０】
まず、新たに位置登録された端末３０を検出した携帯電話制御部１４８は、フェムトセル基地局４０とカバーエリアが重複している基地局、または隣接する基地局（以下、近隣基地局という）７０、７１を抽出し（Ｓ２０１）、いずれかの近隣基地局に、現在からｔ１前に携帯電話端末３０が位置登録されていたか否かを問い合わせる（Ｓ２０２）。そして、ｔ１前に携帯電話端末３０が近隣基地局のうちの１つ基地局７０に位置登録されていた場合には、フェムトセル基地局４０のカバーエリア内に外から入ってきた端末であることを判定する（Ｓ２０３，２０４）。
このようにして予め登録されている携帯電話端末が外から入ってきたことを検出すると、その端末の所有者が帰宅したことをドアホン親機１４のスピーカ１４４から戸内にいるものに通知する（Ｓ２０５）。
【００６１】
この通知に対して、戸内にいる者が応答した場合には、ドアホン子機１２のカメラ１２２、マイク１２３、スピーカ１２４が起動し、戸外にいる帰宅者と戸内にいる者戸で通話が可能となる。
【００６２】
このような機能をドアホン装置１０に備えることにより、帰宅者が多くの荷物を抱えて両手がふさがっているような場合に、戸内の家族と通話し援助を求めることができる。
【００６３】
なお、この登録者帰宅通知機能は、携帯電話端末への呼び出し制御の機能とは別に単独で機能させることもできる。この登録者帰宅通知機能により、帰宅者に対し戸内にいるより適切な応答者が短時間に応答することができる。
【００６４】
実施の形態２．
本発明の実施の形態２について図８を参照して説明する。実施の形態１と同一の機能を有する構成部については同じ符号を付し、説明を省略する。
本実施の形態においては、ドアホンシステム２は、実施の形態１のドアホン子機１２とドアホン親機１４の機能が一体化されたドアホン装置８０と、携帯電話端末２０、３０とフェムトセル基地局４０と携帯電話網５０から構成される。
【００６５】
ドアホン装置８０は、戸外に設置されるもので、実施の形態１のドアホン親機１４との差異点は、カメラ１２２と操作ボタン１２５を備え、表示部１４２と操作部１４５を備えない点である。
すなわち、ドアホン装置８０が戸外に設置され、戸内にはドアホン装置がないため、応答は各携帯電話端末２０、３０で行う。
【００６６】
以上のように構成されたドアホンシステム２の動作について、図８を用いて説明する。
【００６７】
ドアホン装置８０が備えられた住戸等に来訪した訪問者は、ドアホン装置８０の操作ボタン１２５を押すと、ドアホン制御部１４１は、カメラ１２２を起動し、その撮影画像データを取得開始する。
【００６８】
その後、ドアホン装置８０のドアホン制御部１４１は携帯電話制御部１４８に携帯電話での応答を可能とする携帯電話端末接続処理を開始するように命令する。
【００６９】
命令を受けた携帯電話制御部１４８の戸内有効端末情報取得部１５０は、フェムトセル基地局４０より現在位置登録されている携帯電話端末の識別情報を取得する。これにより、戸内にいるか、又は戸外にいても訪問者に対する対面の応答が可能である者の携帯電話端末が特定される。
【００７０】
次に、呼び出し優先順位決定部１５１は、記憶部１４６からドアホン装置８０に応答を許可されている携帯電話端末の識別情報データと呼び出し優先順位を決定するための条件等の設定情報を取得する。そして、これらの情報データと、戸内有効端末情報取得部１５０が取得したフェムトセル基地局４０に現在位置登録されている携帯電話端末の識別情報に基づいて、呼び出し優先順位を決定する。
呼び出し優先順位の決定方法は、実施の形態１と同様である。
【００７１】
次に、携帯電話制御部１４８は決定された呼び出し優先順位にしたがって登録されている携帯電話番号に発呼発信して接続処理を行うように携帯電話部１４７を制御する。
携帯電話部１４７からの発信に対して応答があった場合には、ドアホン装置８０と、応答した携帯電話端末の間で、リンクが確立し、ドアホン装置８０の前にいる訪問者と応答した携帯電話端末２０、３０の所有者との間で通話が可能となる。
【００７２】
ここで、ドアホン装置８０は、戸外に設置され、操作部１４５を有さないため、優先順位決定に関する設定情報を含む各種設定がドアホン装置８０に直接入力することができない。
よって、本実施の形態においては、設定用ＰＣ１６をＬＡＮインタフェースを介してドアホン装置８０と接続し、設定用ＰＣ１６により、各種設定を行う構成となっている。
【００７３】
以上説明したように、本実施の形態においては、携帯電話部１４７、携帯電話制御部１４８等を備えるドアホン装置８０を戸外に設置し、ドアホン装置８０に対して操作ボタン１２５を押した訪問者に対する応答を携帯電話端末２０、３０で行うこととした。これにより、ドアホン装置の構成を簡略化することができるとともに、ドアホン装置８０に直接応答するための所定時間を待たずに、携帯電話端末に対して発呼を行うため、より迅速な応答が可能となる。
【００７４】
実施の形態３．
本発明の実施の形態３について図９を参照して説明する。実施の形態１と同一の機能を有する構成要素については同じ符号を付し、説明を省略する。
本実施の形態においては、ドアホンシステム３は、ドアホン子機１２とドアホン親機１４からなるドアホン装置１０と、携帯電話端末２０、３０と携帯電話網５０と、無線ＬＡＮルータから９０構成される。
【００７５】
実施の形態１と異なり本実施の形態では、ドアホン親機１４と携帯電話端末２０、３０は無線ＬＡＮ通信部を有し、戸内に設置されている無線ＬＡＮルータ９０を介して接続される。ここで、無線ＬＡＮの電波強度を調整することにより、住戸周辺の携帯電話端末のみを無線ＬＡＮルータ９０に接続可能とすることができる。
つまり無線ＬＡＮルータ９０は、無線ＬＡＮルータ９０の電波を十分に受信できる住戸周辺にあるために無線ＬＡＮ接続可能な携帯電話端末の識別情報を取得することができる。
また、ドアホン親機１４の無線ＬＡＮ通信部１５２は近距離無線通信手段として機能する。
【００７６】
戸内有効端末情報取得部１５０は、無線ＬＡＮルータ９０から、無線ＬＡＮ接続可能な携帯電話端末の識別情報を取得することにより、戸内にいるか、又は戸外にいても訪問者に対する対面の応答が可能である者の携帯電話端末が特定される。すなわち、戸内有効端末情報取得部１５０は、近距離通信端末情報取得手段として機能する。
【００７７】
呼び出し優先順位決定部１５１は、記憶部１４６からドアホン装置１０に応答を許可されている携帯電話端末の識別情報データと呼び出し優先順位を決定するための条件等の設定情報を取得する。そして、これらの情報データと、戸内有効端末情報取得部１５０が取得した無線ＬＡＮルータ９０に接続可能な携帯電話端末の識別情報を照らし合わせて、呼び出し優先順位を決定する。
【００７８】
次に、携帯電話制御部１４８は決定された呼び出し優先順位にしたがって、登録されている携帯電話番号を呼び出して接続処理を行うように携帯電話部１４７を制御する。
携帯電話部１４７からの発信に対して応答があった場合には、ドアホン子機１２と、応答した携帯電話端末２０、３０の間で、リンクが確立し、ドアホン子機１２の前にいる訪問者と応答した携帯電話端末２０、３０の所有者との間で通話が可能となる。
【００７９】
ここで、応答した携帯電話端末２０が戸内にある場合には、ドアホン親機１４の携帯電話部１４７と、携帯電話端末２０と間の通信は、携帯電話網を使用した通信でもよいし、無線ＬＡＮを使用した通信でもよい。
【００８０】
一方、応答した携帯電話端末３０が戸外にある場合には、携帯電話網を介した通信が行われる。ここで、フェムトセル基地局４０は必ずしも必要な構成要素ではないため、ドアホン親機１４の携帯電話部１４７は、最寄りの基地局６０に位置登録し、戸外の携帯電話端末３０との通信を行う。
【００８１】
以上説明したように、本実施の形態においては、戸内有効端末の情報を無線ＬＡＮルータ９０より取得することとした。安価で簡易的な構成の無線ＬＡＮルータ９０で戸内に応答可能な者がいるかの判別が即座にでき、応答可能な者がいない場合には、戸外の携帯電話端末３０による迅速な応答が可能になる。
【００８２】
実施の形態４．
本発明の実施の形態４について図１０を参照して説明する。実施の形態１と同一の機能を有する構成については同じ符号を付し、説明を省略する。
本実施の形態においては、ドアホンシステム４は、ドアホン子機１２とドアホン親機１４からなるドアホン装置１０と、携帯電話端末２０、３０と携帯電話網５０から構成される。
【００８３】
実施の形態１と異なり本実施の形態では、携帯電話端末２０、３０は近距離無線通信部を有する。本実施の形態では、近距離無線通信の一規格であるＢｌｕｅｔｏｏｔｈ（登録商標）を使用する。ドアホン親機１４と携帯電話端末２０、３０は、Ｂｌｕｅｔｏｏｔｈ通信部を有し、戸内においては、ドアホン親機１４と携帯電話端末２０、３０はＢｌｕｅｔｏｏｔｈ通信で接続される。
つまり、ドアホン親機１４のＢｌｕｅｔｏｏｔｈ通信部１５３は、近距離無線通信手段として機能する。
【００８４】
携帯電話端末２０は定期的にドアホン親機１４に対してＢｌｕｅｔｏｏｔｈ通信を行い、その信号を受信したドアホン親機１４の携帯電話制御部１４８は、戸内のＢｌｕｅｔｏｏｔｈ通信可能な携帯電話端末２０の識別情報を取得することができる。
よって、戸内有効端末情報取得部１５０は、各携帯電話端末から、Ｂｌｕｅｔｏｏｔｈ通信可能な携帯電話端末の識別情報を取得することにより、戸内にいるか、又は戸外にいても訪問者に対する対面の応答が可能である者の携帯電話端末が特定される。すなわち、戸内有効端末情報取得部１５０は、近距離通信端末情報取得手段として機能する。
【００８５】
呼び出し優先順位決定部１５１は、記憶部１４６からドアホン装置１０に応答を許可されている携帯電話端末の識別情報データと呼び出し優先順位を決定するための条件等の設定情報を取得する。そして、これらの情報データと、戸内有効端末情報取得部１５０が取得したＢｌｕｅｔｏｏｔｈ通信可能な携帯電話端末の識別情報を照らし合わせて、呼び出し優先順位を決定する。
【００８６】
次に、携帯電話制御部１４８は決定された呼び出し優先順位にしたがって登録されている携帯電話番号を呼び出して接続処理を行うように携帯電話部１４７を制御する。
携帯電話部１４７からの発信に対して応答があった場合には、ドアホン子機１２と、応答した携帯電話端末２０、３０の間で、リンクが確立し、ドアホン子機１２の前にいる訪問者と応答した携帯電話端末２０、３０の所有者との間で通話が可能となる。
【００８７】
ここで、応答した携帯電話端末２０が戸内にある場合には、ドアホン親機１４の携帯電話部１４７と、携帯電話端末２０と間の通信は、携帯電話網を使用した通信でもよいし、Ｂｌｕｅｔｏｏｔｈを使用した通信でもよい。
【００８８】
一方、応答した携帯電話端末３０が戸外にある場合には、携帯電話網を介した通信が行われる。ここで、フェムトセル基地局４０は必ずしも必要な構成要素ではないため、ドアホン親機１４の携帯電話部１４７は、最寄りの基地局６０に位置登録し、戸外の携帯電話端末３０との通信を行う。
【００８９】
以上説明したように、本実施の形態においては、戸内有効端末の情報を直接携帯電話端末からのＢｌｕｅｔｏｏｔｈ通信により取得することとした。簡略された構成で戸内に応答可能な者がいるかの判別が即座にでき、応答可能な者がいない場合には、戸外の携帯電話端末３０による迅速な応答が可能になる。
【００９０】
このように本発明は、ドアホン装置が携帯電話網を介した通信機能と、近距離無線通信機能を備えた構成とし、ドアホン装置に応答を許可されている端末の識別番号と、近距離無線通信が可能な端末の識別番号を照らし合わせることにより端末を呼び出す優先順位を決定して、その優先順位に従って端末を呼び出すこととしたため、訪問者に対して適切な者が短時間で応答することが可能となる。また、登録者帰宅通知機能により、帰宅者に対し戸内にいるより適切な応答者が短時間に応答することができる。
【００９１】
なお、本発明は、上記実施の形態に限定されず、本発明の要旨を逸脱しない範囲での種々の変更は勿論可能である。
【００９２】
例えば、上記実施の形態においては、カメラ１２２は、ドアホン子機１２に設置され、訪問者の画像をドアホン親機１３や携帯電話端末２０、３０の表示部で表示することができるとしたが、携帯電話端末２０、３０にカメラが備えられ、かつドアホン子機１２に表示部が備えられている場合には、携帯電話端末２０、３０のカメラで撮影した画像を電子メールに添付して送信したり、テレビ電話機能を利用して送信することにより、携帯電話端末２０、３０のカメラで撮影した画像をドアホン子機１２の表示部に表示させることもできる。ここでの画像は、静止画でも動画でも良い。
【００９３】
また、上記実施の形態においては、訪問者がドアホン子機１２の操作ボタン１２５を押したことを示す信号をドアホン親機１４が受信してから、所定時間以内にドアホン親機１４に対する直接の応答処理がなされなかった場合に携帯電話端末接続処理を開始する構成としたが、ドアホン親機１４への直接応答を待つことなく携帯電話端末接続処理を行っても良い。ドアホン親機１４への直接応答の待ち時間、携帯電話端末への呼び出しに対する応答の待ち時間はユーザが任意に設定できるようにしてもよい。
【００９４】
また、上記実施の形態においては、携帯電話部１４７がドアホン親機１４に内蔵される構成について説明したが、ドアホン親機１４には携帯電話接続端子のみ設けて、既存の携帯電話端末をドアホン親機１４に外付けする構成であっても良い。
【００９５】
また、上記実施の形態においては、ドアホン親機１４から携帯電話端末２０、３０への発信は、携帯電話部１４７から行うとしたが、ドアホン親機を加入者電話線で接続して、加入者電話網から携帯電話端末２０、３０へ呼び出しを行っても良い。
【００９６】
また、上記実施の形態においては、携帯電話端末からドアホン装置１０に接続する構成としたが、ドアホン装置１０に接続する端末は携帯電話に限られず、ＰＨＳ、ＰＤＡ、スマートフォン、ＰＣによっても実現することができる。
【００９７】
また、上記実施の形態においては、携帯電話端末の識別情報を電話番号であるとしたが、電話番号に限られず、携帯電話端末と個別に対応付けられた識別記号を識別情報としてもよい。
【符号の説明】
【００９８】
１、２、３、４…ドアホンシステム
１０、８０…ドアホン装置
１２…ドアホン子機
１４…ドアホン親機
１６…設定用ＰＣ
１２１…子機制御部
１２２…カメラ
１２３、１４３…マイク
１２４、１４４…スピーカ
１２５…操作ボタン
１４１…ドアホン制御部
１４２…表示部
１４５…操作部
１４６…記憶部
１４７…携帯電話部
１４８…携帯電話制御部
１４９…ＬＡＮインタフェース
１５０…戸内有効端末情報取得部
１５１…呼び出し優先順位決定部
１５２…無線ＬＡＮ通信部
１５３…Ｂｌｕｅｔｏｏｔｈ通信部
２０、３０…携帯電話端末
４０…フェムトセル基地局
５０…携帯電話網
６０、７０、７１…基地局
９０…無線ＬＡＮルータ
【図１】
0005340249.tif 000002
【図２】
0005340249.tif 000003
【図３】
0005340249.tif 000004
【図４】
0005340249.tif 000005
【図５】
0005340249.tif 000006
【図６】
0005340249.tif 000007
【図７】
0005340249.tif 000008
【図８】
0005340249.tif 000009
【図９】
0005340249.tif 000010
【図１０】
0005340249.tif 000011